(57)【要約】【課題】筐体の副走査方向の長さを短くして反射部材を筐体に取付けることができ、小型化を図ることができる画像読取装置および画像読取装置を備えた画像形成装置を提供すること。【解決手段】クリップ９３を、筐体４１の側板４１ａの副走査方向端部に形成された切欠き部９１に挿通され、副走査方向に曲折されるとともに曲折箇所において反射ミラー６０ａの副走査方向他側面Ｂ１に当接する屈曲部９４と、屈曲部９４の上端から主走査方向と略直交する反射ミラー６０ａの高さ方向に突出して設けられ、切欠き部９１の内周縁の内側に位置する側板４１ａの内面に係合する係合爪９４ａと、開口穴９２に嵌合され、開口穴９２に設けられた突起９２ａに嵌合する嵌合穴９５ａを有する嵌合部９５と、屈曲部９４と嵌合部９５を連接し、側板４１ａに対向する連接部９６とを備えたものから構成する。【選択図】図７
2010219772.tif 000002
【特許請求の範囲】
【請求項１】
筐体と、前記筐体に設けられ、原稿の照射領域に光を照射する照射手段と、前記筐体に設けられ、原稿の照射領域から反射された光を反射させる少なくとも１つ以上の反射部材と、前記筐体に設けられ、前記反射部材で反射された光を結像させる結像レンズと、前記結像レンズの結像位置に位置するように前記筐体に設けられ、原稿の画像を読み取る撮像素子と、前記筐体に前記反射部材の少なくとも１つを保持する保持機構とを含んで構成され、前記照射手段により原稿の主走査方向に光を照射しながら前記筐体を原稿の副走査方向に移動させることにより、原稿を読み取るようにした原稿読取装置において、
前記保持機構が、前記筐体の主走査方向両側板の副走査方向一端部にそれぞれに形成され、前記反射部材の少なくとも１つの主走査方向両端部の副走査方向一側面が当接する当接面を有するとともに、前記反射部材の副走査方向他側面側に対向する部位が開放される切欠き部と、前記切欠き部の近傍の前記筐体の主走査方向両側板に形成された少なくとも１つ以上の開口穴とを有する前記筐体と、前記筐体の主走査方向両側板にそれぞれ取付けられ、前記反射部材を前記筐体に保持する複数の保持部材とを含んで構成され、
前記保持部材が、
前記切欠き部に挿通され、副走査方向に曲折されるとともに曲折箇所において前記反射部材の副走査方向他側面に当接する曲折部と、前記曲折部の上端から主走査方向と略直交する前記反射部材の高さ方向に突出して設けられ、前記切欠き部の内周縁の内側に位置する前記筐体の主走査方向側板の内面に係合する係合爪と、
前記開口穴に嵌合され、前記開口穴に設けられた突起に嵌合する嵌合穴を有する嵌合部と、
前記曲折部と前記嵌合部を連接し、前記筐体の両側面に対向する連接部とを備えたことを特徴とする画像読取装置。
【請求項２】
前記連接部に形成された穴部と、前記筐体の主走査方向両側板に設けられ、前記穴部に嵌合する突起を有することを特徴とする請求項１に記載の画像読取装置。
【請求項３】
前記嵌合部から前記連接部が複数に分岐され、複数の連接部にそれぞれの曲折部が連接されるとともに、前記曲折部の１つに前記係合爪が形成され、
複数の前記曲折部を前記切欠き部および前記開口穴に嵌合することにより、前記曲折部の曲折箇所によって複数の反射部材の副走査方向他側面を押圧することを特徴とする請求項１または請求項２に記載の画像読取装置。
【請求項４】
請求項１ないし請求項３のいずれか１項に記載の画像読取装置を備えた画像形成装置であって、
前記画像読取装置によって読み取った画像を記録媒体上に形成する画像形成手段を有することを特徴とする画像形成装置。
【発明の詳細な説明】
【技術分野】
【０００１】
本発明は、画像読取装置および画像読取装置を備えた画像形成装置に関し、例えば、複写機、ファクシミリ装置、イメージスキャナ等に使用される画像読取装置およびこの画像読取装置を備えた画像形成装置に関する。
【背景技術】
【０００２】
複写機、ファクシミリ装置、イメージスキャナ等の画像読取装置にあっては、光源から原稿の照射領域に照射し、原稿の照射領域から反射された光を反射部材である反射ミラーで折り返して結像レンズに結像し、結像レンズの結像位置に設けられたＣＣＤ（Ｃｈａｒｇｅ Ｃｏｕｐｌｅｄ Ｄｅｖｉｃｅ）によって読み取るようになっている。
【０００３】
これら光源、反射ミラー、結像レンズおよびＣＣＤは、筐体に保持されており、光源から原稿の主走査方向に光を照射しながら筐体を駆動手段によって副走査方向に移動させることにより、原稿面の画像の読取りを行うようになっている。
【０００４】
このような構成を有する画像読取装置にあっては、正確な角度姿勢で筐体に反射ミラーを固定する必要があるため、筐体の副走査方向の両側面に形成された開口穴と、開口穴に嵌合され、反射ミラーを筐体に保持する保持部材とを備えた保持機構が一般に採用されている。
【０００５】
従来のこの種の保持機構としては、図１９に示すようなものが知られている（例えば、特許文献１参照）。図１９において、反射ミラー１１１は、その裏面１１１ｂと筐体１１２の主走査方向両側面（図１９では一側面のみを図示）に形成された開口穴１１２ａとの間に介装された保持部材としてのクリップ１２０によって上方に付勢されており、開口穴１１２ａに形成された係止突起１１３にその表面１１１ａが当接するようになっている。
【０００６】
開口穴１１２ａは、副走査方向に長い矩形を有しており、副走査方向の前後下部に係止爪部１１４をそれぞれ有している。なお、筐体１１２の主走査方向の他側面の開口穴も開口穴１１２ａと同一形状である。
【０００７】
クリップ１２０は、板厚の薄いばね鋼板を素材とする略Ｓ字断面形状の打抜きプレス成形品であり、反射ミラー１１１の裏面１１１ｂに略平行に対峙する押圧壁１２１と、押圧壁１２１の右端からＶ字状に折り曲げられて斜め下方に延設されて開口穴１１２ａに係合する係合壁１２２と、押圧壁１２１の左端から直上に延設されて反射ミラー１１１の主走査方向一端面に対向する係止壁１２３と、係止壁１２３の上端から右方に延設されて反射ミラー１１１の表面１１１ａに対向する副走査方向の前後に離隔する係止リップ１２４とを備えている。
【０００８】
押圧壁１２１の左端側の上面には半球上の押圧突起１２５が突出しており、この押圧突起１２５は、反射ミラー１１１の裏面１１１ｂに当接するようになっている。係合壁１２２は、図１９（ａ）中、左方に向かうに従って幅広に形成されており、係合壁１２２の前後側端には押圧突起１２５の下方に位置するように係合凹部１２６がそれぞれ形成されている。
【０００９】
図１９（ｂ） に示すように、クリップ１２０によって反射ミラー１１１が筐体１１２に組付けられた状態では、係合壁１２２と押圧壁１２１との間の角度が小さくなるようにクリップ１２０が弾性変形し、押圧壁１２１には係合壁１２２と離間する方向（すなわち、上方）に弾発力が生じる。このため、押圧壁１２１の押圧突起１２５が反射ミラー１１１の裏面１１１ｂを押圧することになり、反射ミラー１１１の表面１１１ａは、所定の弾接力で開口穴１１２ａの係止突起１１３に係止される。
【００１０】
クリップ１２０は、係合壁１２２の係合凹部１２６に開口穴１１２ａの係止爪部１１４が嵌合することで筐体１１２に固定され、押圧壁１２１の押圧突起１２５の中心と筐体１１２とが左右方向で略同位置となる。
【００１１】
このようにしてクリップ１２０を開口穴１１２ａに嵌合してクリップ１２０の弾性力によって反射ミラー１１１を開口穴１１２ａの係止突起１１３に係止することにより、反射ミラー１１１を筐体１１２に保持することができる。
【発明の概要】
【発明が解決しようとする課題】
【００１２】
しかしながら、このような従来の画像読取装置にあっては、筐体１１２に形成された開口穴１１２ａに反射ミラー１１１の主走査方向両端部を挿通してクリップ１２０の弾性力を利用して反射ミラー１１１を筐体１１２に保持するようになっているため、筐体１１２が副走査方向に長くなる保持機構となってしまう。
【００１３】
すなわち、図１９（ａ）、（ｂ）に示すように、係合壁１２２が開口穴１１２ａの一方の当接面Ａ１に当接するとともに、押圧突起１２５が反射ミラー１１１を押圧して反射ミラー１１１を開口穴１１２ａの他方の面に当接するように反射ミラー１１１を付勢することにより、反射ミラー１１１を筐体１１２に保持するようにしているため、開口穴１１２ａの一方の当接面Ａ１を筐体１１２に設けるために、反射ミラー１１１およびクリップ１２０の係合壁１２２を取り囲むような開口穴１１２ａが必要となってしまう。
【００１４】
このため、図２０に示すように、筐体１１２の側壁に開口穴１１２ａではなく切欠き部１３０がある場合には、反射ミラー１１１をクリップ１２０によって筐体１１２に保持することができない。
【００１５】
したがって、切欠き部１３０に反射ミラー１１１の主走査方向両端部を支持してクリップ１２０で取付けることができれば、筐体１１２を副走査方向に短くすることができるが、従来の保持機構では、図１９に示すように、開口穴１１２ａの一方の当接面Ａ１に確保しなければならないため、開口穴１１２ａを筐体１１２の端部を除いた部分に形成しなければならず、必然的に筐体１１２の副走査方向が長くなってしまうのである。
【００１６】
本発明はこのような課題を解決するためになされたもので、筐体の副走査方向の長さを短くして反射部材を筐体に取付けることができ、小型化を図ることができる画像読取装置および画像読取装置を備えた画像形成装置を提供することである。
【課題を解決するための手段】
【００１７】
本発明の画像読取装置は、上記目的を達成するため、（１）筐体と、前記筐体に設けられ、原稿の照射領域に光を照射する照射手段と、前記筐体に設けられ、原稿の照射領域から反射された光を反射させる少なくとも１つ以上の反射部材と、前記筐体に設けられ、前記反射部材で反射された光を結像させる結像レンズと、前記結像レンズの結像位置に位置するように前記筐体に設けられ、原稿の画像を読み取る撮像素子と、前記筐体に前記反射部材の少なくとも１つを保持する保持機構とを含んで構成され、前記照射手段により原稿の主走査方向に光を照射しながら前記筐体を原稿の副走査方向に移動させることにより、原稿を読み取るようにした原稿読取装置において、前記保持機構が、前記筐体の主走査方向両側板の副走査方向一端部にそれぞれに形成され、前記反射部材の少なくとも１つの主走査方向両端部の副走査方向一側面が当接する当接面を有するとともに、前記反射部材の副走査方向他側面側に対向する部位が開放される切欠き部と、前記切欠き部の近傍の前記筐体の主走査方向両側板に形成された少なくとも１つ以上の開口穴とを有する前記筐体と、前記筐体の主走査方向両側板にそれぞれ取付けられ、前記反射部材を前記筐体に保持する複数の保持部材とを含んで構成され、前記保持部材が、前記切欠き部に挿通され、副走査方向に曲折されるとともに曲折箇所において前記反射部材の副走査方向他側面に当接する曲折部と、前記曲折部の上端から主走査方向と略直交する前記反射部材の高さ方向に突出して設けられ、前記切欠き部の内周縁の内側に位置する前記筐体の主走査方向側板の内面に係合する係合爪と、前記開口穴に嵌合され、前記開口穴に設けられた突起に嵌合する嵌合穴を有する嵌合部と、前記曲折部と前記嵌合部を連接し、前記筐体の両側面に対向する連接部とを備えたものから構成されている。
【００１８】
この構成により、保持部材の曲折部が筐体の切欠き部に挿通されたときに、係合爪が切欠き部の内周縁の内側に位置する筐体の主走査方向側板の内面に係合した状態で、曲折部の曲折箇所が反射部材の副走査方向他側面に当接するとともに、保持部材の嵌合部に形成された嵌合穴が筐体の開口穴に形成された突起に嵌合するようにして開口穴に嵌合する。
【００１９】
このため、嵌合部および曲折部によって反射部材が挟持されるようにして筐体に取付けられたときに、曲折部が副走査方向において嵌合部側に撓んで曲折部の曲折箇所が反射部材を切欠き部の当接面に押圧し、反射部材を筐体に保持する。
【００２０】
また、係合爪が切欠き部の内周縁の内側に位置する筐体の主走査方向側板の内面に係合するとともに、嵌合部が開口穴に嵌合されたときに保持部材の嵌合部に形成された嵌合穴が筐体の開口穴に形成された突起に嵌合するので、保持部材が切欠き部および開口穴から抜け出てしまうのを防止することができる。
【００２１】
この結果、筐体の主走査方向両側板の副走査方向一端部に形成された切欠き部に反射部材を挿通した場合でも、反射部材を筐体に確実に保持することができる。このため、保持部材および反射部材を取り囲むようにして反射部材が挿通される開口穴を不要にでき、筐体の副走査方向長さを短くして筐体を小型化することができる。この結果、画像読取装置を小型化することができる。
【００２２】
また、本発明の画像読取装置は、（２）前記連接部に形成された穴部と、前記筐体の主走査方向両側板に設けられ、前記穴部に嵌合する突起を有するものから構成されている。
この構成により、連接部に形成された穴部に筐体の主走査方向両側板に設けられた突起を嵌合させているので、突起および嵌合穴の位置を基準にして、切欠き部の内周縁の内側における係合爪の位置を決定することができる。この結果、係合爪の位置決めを容易に行うことができる。
【００２３】
また、本発明の画像読取装置は、（３）前記嵌合部から前記連接部が複数に分岐され、複数の連接部にそれぞれの曲折部が連接されるとともに、前記曲折部の１つに前記係合爪が形成され、複数の前記曲折部を前記切欠き部および前記開口穴に嵌合することにより、前記曲折部の曲折箇所によって複数の反射部材の副走査方向他側面を押圧するものから構成されている。
【００２４】
この構成により、一対の保持部材によって複数の反射部材を筐体に保持することができ、保持機構の構成を簡素化して画像読取装置の製造コストを低減することができる。
【００２５】
また、本発明の画像形成装置は、上述した画像読取装置を備えた画像形成装置であって、前記画像読取手段によって読み取った画像を記録媒体上に形成する画像形成手段を有するものから構成されている。
この構成により、筐体の副走査方向の長さを短くして反射部材を筐体に取付けることができ、小型な画像読取装置を備えた画像形成装置を提供することができる。
【発明の効果】
【００２６】
以上説明したように、筐体の副走査方向の長さを短くして反射部材を筐体に取付けることができ、小型化を図ることができる画像読取装置および画像読取装置を備えた画像形成装置を提供することができる。
【図面の簡単な説明】
【００２７】
【図１】本発明に係る画像読取装置および画像読取装置を備えた画像形成装置の第１の実施の形態を示す図であり、カラー複写機の概略構成図である。
【図２】本発明に係る画像読取装置および画像読取装置を備えた画像形成装置の第１の実施の形態を示す図であり、画像読取装置の概略斜視図である。
【図３】本発明に係る画像読取装置および画像読取装置を備えた画像形成装置の第１の実施の形態を示す図であり、一体型走査光学ユニットの断面図である。
【図４】本発明に係る画像読取装置および画像読取装置を備えた画像形成装置の第１の実施の形態を示す図であり、ＬＥＤユニットの斜視図である。
【図５】本発明に係る画像読取装置および画像読取装置を備えた画像形成装置の第１の実施の形態を示す図であり、筐体の外観図である。
【図６】本発明に係る画像読取装置および画像読取装置を備えた画像形成装置の第１の実施の形態を示す図であり、筐体の要部側面図である。
【図７】本発明に係る画像読取装置および画像読取装置を備えた画像形成装置の第１の実施の形態を示す図であり、反射ミラーをクリップによって筐体に取付けた状態を示す筐体の斜視図である。
【図８】本発明に係る画像読取装置および画像読取装置を備えた画像形成装置の第１の実施の形態を示す図であり、反射ミラーをクリップによって筐体に取付けた状態を示す筐体の要部側面図である。
【図９】本発明に係る画像読取装置および画像読取装置を備えた画像形成装置の第１の実施の形態を示す図であり、クリップの斜視図である。
【図１０】本発明に係る画像読取装置および画像読取装置を備えた画像形成装置の第１の実施の形態を示す図であり、反射ミラーをクリップによって筐体に取付けた状態を示す筐体の要部上面図である。
【図１１】本発明に係る画像読取装置および画像読取装置を備えた画像形成装置の第１の実施の形態を示す図であり、図８のＣ−Ｃ方向矢視断面図である。
【図１２】本発明に係る画像読取装置および画像読取装置を備えた画像形成装置の第１の実施の形態を示す図であり、筐体にクリップを取付ける手順を示す図である。
【図１３】本発明に係る画像読取装置および画像読取装置を備えた画像形成装置の第２の実施の形態を示す図であり、一体型走査光学ユニットの断面図である。
【図１４】本発明に係る画像読取装置および画像読取装置を備えた画像形成装置の第２の実施の形態を示す図であり、筐体の斜視図である。
【図１５】本発明に係る画像読取装置および画像読取装置を備えた画像形成装置の第２の実施の形態を示す図であり、反射ミラーをクリップによって筐体に取付けた状態を示す筐体の要部側面図である。
【図１６】本発明に係る画像読取装置および画像読取装置を備えた画像形成装置の第２の実施の形態を示す図であり、クリップの斜視図である。
【図１７】本発明に係る画像読取装置および画像読取装置を備えた画像形成装置の第２の実施の形態を示す図であり、反射ミラーをクリップによって筐体に取付けた状態を示す筐体の要部上面図である。
【図１８】本発明に係る画像読取装置および画像読取装置を備えた画像形成装置の第２の実施の形態を示す図であり、図１５のＤ−Ｄ方向矢視断面図である。
【図１９】（ａ）は、従来のクリップと筐体および反射ミラーとの分解図、（ｂ）は、従来のクリップにより反射ミラーを筐体に保持した状態を示す図である。
【図２０】従来のクリップと切欠き部が形成された筐体および反射ミラーの分解図である。
【発明を実施するための形態】
【００２８】
以下、本発明の実施の形態について、図面を用いて説明する。
（第１の実施の形態）
図１〜図１２は、本発明に係る画像読取装置および画像読取装置を備えた画像形成装置の第１の実施の形態を示す図である。なお、画像読取装置は、イメージスキャナに適用してもよく、画像形成装置としては、イメージスキャナを有する複写機やファクシミリ装置、複写機能とファクシミリ機能等を備えた複合機等に適用することができる。
【００２９】
まず、構成を説明する。
図１において、画像形成装置としてのカラー複写機１は、自動原稿搬送部（以下、ＡＤＦともいう）２と、給紙部３と、画像読取装置４と、画像形成部５とを含んで構成されている。
【００３０】
ＡＤＦ２は、原稿トレイ１１と、原稿トレイ１１に載置された原稿束から原稿を１枚ずつ分離してコンタクトガラス７に向かって搬送する各種ローラ等からなる給紙部１３とを備えている。
【００３１】
ＡＤＦ２は、給紙部１３によって分離された原稿をコンタクトガラス７上に搬送する搬送ベルト８を備えている。また、ＡＤＦ２は、各種ローラ等からなる排紙部９を備えており、コンタクトガラス７上の原稿が画像読取装置４によって読み取られると、搬送ベルト８によってコンタクトガラス７から排紙される原稿は、排紙部９によって原稿トレイ１１の下方の排紙トレイ１２に排紙されるようになっている。また、ＡＤＦ２は、画像読取装置４に対して図示しないヒンジ等の開閉機構を介して開閉自在に取付けられている。
【００３２】
給紙部３は、用紙サイズの異なる記録媒体としての記録紙を収納する給紙カセット２１、２２と、給紙カセット２１、２２に収納された記録紙を画像形成部５の画像形成位置まで搬送する各種ローラからなる給紙手段２３とを備えている。
【００３３】
画像読取装置４は、図２に示すように、画像読取装置４の筐体４ａ内に一体型走査光学ユニット４０を備えており、この一体型走査光学ユニット４０は、後述するＬＥＤユニット４４から主走査方向（図２の矢印Ａ方向）に光を照射するとともに、画像読取装置４に備えられる図示しない駆動手段によって全照射領域Ｗ内において副走査方向（図１、図２の矢印Ｂ方向）に走査（移動）されることによって、原稿の２次元カラー画像を読み取るようになっている。また、コンタクトガラス７は、画像読取装置４の筐体４ａの上部に設けられており、筐体４ａの上面を構成している。
【００３４】
なお、駆動手段は、一体型走査光学ユニット４０に固定されたワイヤ、ワイヤに橋架される複数の従動プーリおよび駆動プーリと、駆動プーリを回転させるモータ等によって構成されるものであり、公知であるため、図示省略する。
【００３５】
画像形成部５は、画像形成手段を構成するものであり、露光装置３１と、複数の感光体ドラム３２と、各感光体ドラム３２の周囲に設置された異なる色（シアン（Ｃ）、イエロー（Ｙ）、マゼンタ（Ｍ）、ブラック（Ｂｋ））のトナーを有する現像装置３３と、転写ベルト３４と、定着装置３５とを備えている。
【００３６】
画像形成部５は、画像読取装置４によって読み取られて色別分解された画情報に基づいて複数の感光体ドラム３２に色分けして画像を形成し、給紙部３から供給された記録紙に感光体ドラム３２上のトナーを重ね合わせて転写した後、定着装置３５により記録紙に転写されたトナー画像のトナーを溶融して、記録紙にカラー画像を定着するようになっている。
また、カラー複写機１は、図示しない画像送受信装置によって読み取った画像を相手先の装置に送信する機能も備えている。
【００３７】
次に、図３〜図１２に基づいて一体型走査光学ユニット４０の構成を説明する。
図３に示すように、一体型走査光学ユニット４０は、筐体４１と、筐体４１に着脱自在に設けられ、ＬＥＤパッケージ４６からの光を導く反射部４８、４９を支持する第１の支持部材としての遮蔽部材４２と、遮蔽部材４２に着脱自在に設けられるとともに、遮蔽部材４２との間に原稿Ｐの照射領域Ｗ１にＬＥＤパッケージ４６から照射を行うための開口４３ａを有し、ＬＥＤパッケージ４６からの光を導く反射部４７を支持する第２の支持部材としてのカバー部材４３とを備えている。なお、筐体４１、遮蔽部材４２およびカバー部材４３は、それぞれ樹脂製である。なお、カバー部材４３および遮蔽部材４２は支持部材を構成している。
【００３８】
また、遮蔽部材４２とカバー部材４３には光源としてのＬＥＤユニット４４が取付けられており、このＬＥＤユニット４４は、図４に示すように、ＬＥＤ基板４５上に発光素子である複数（本実施の形態では７個）のＬＥＤパッケージ４６が主走査方向に略直線状に配置されたものから構成されている。
【００３９】
本実施の形態のＬＥＤパッケージ４６は、所謂、トップビュータイプと称されるものであり、出射面がＬＥＤ基板４５の実装面と直交する方向になっている。
【００４０】
このトップビュータイプのＬＥＤパッケージ４６は、発光強度分布に指向性を有し、出射光の強度分布は、出射角に対して発光面の直交方向を基準とするランバートの余弦則に倣う強度分布（ランバート分布と呼ぶ）を有している。なお、図３は、一体型走査光学ユニット４０の断面図であり、１つのＬＥＤパッケージ４６が示されている。
【００４１】
図３において、カバー部材４３の下面には、ＬＥＤパッケージ４６からの光を導く導光部材として反射部４７が設けられており、カバー部材４３に対向する遮蔽部材４２の上面にはＬＥＤパッケージ４６からの光を導く導光部材として反射部４８、４９が設けられている。
【００４２】
すなわち、反射部４７は、カバー部材４３の下面である対向面４３ｂに設けられており、反射部４８、４９は、カバー部材４３の対向面４３ｂに対向する遮蔽部材４２の上面である対向面４２ａに設けられている。本実施の形態では、ＬＥＤユニット４４および反射部４７〜４９が照射手段を構成している。
【００４３】
一方、カバー部材４３の先端の上面には光拡散部材としてのシート状部材からなる光拡散シート８１の一端部が取付けられており、この光拡散シート８１の他端部は、ＬＥＤパッケージ４６側と逆方向に延在している。
【００４４】
この光拡散シート８１は、筐体４１内を、ＬＥＤユニット４４および反射部４８、４９が収納された第１の空間５７および反射部４９が収納された第２の空間８２に離隔している。
【００４５】
また、光拡散シート８１の他端部には複数の係合突起８１ｂが設けられており、この係合突起８１ｂは、主走査方向に３つに離隔して設けられている。また、係合突起８１ｂは、遮蔽部材４２に設けられた穴４２ｃに係合させるようになっており、光拡散シート８１は、カバー部材４３と遮蔽部材４２に装着されている。
【００４６】
また、ＬＥＤユニット４４は、遮蔽部材４２およびカバー部材４３の間で、ＬＥＤパッケージ４６からの出射光の中心光軸が略水平に向くような方向にＬＥＤ基板４５が配置されており、このＬＥＤ基板４５は、カバー部材４３の対向面４３ｂに設けられた位置決め用の溝５０と、遮蔽部材４２の対向面４２ａに設けられた位置決め用の溝５１とその上下端部が嵌合されることにより、ＬＥＤパッケージ４６の位置が一義的に決定されている。
【００４７】
また、ＬＥＤユニット４４は、ＬＥＤ基板４５が溝５０、５１に嵌合されることにより、遮蔽部材４２およびカバー部材４３に挟持され、また、ＬＥＤ基板４５が溝５０、５１から抜け出ることにより、遮蔽部材４２およびカバー部材４３から取り外されるようになっている。すなわち、ＬＥＤユニット４４は、遮蔽部材４２およびカバー部材４３に対して着脱自在となっている。
【００４８】
また、カバー部材４３は、外部から一体型走査光学ユニット４０に進入する外乱光を防ぐために設けられており、対向面４３ｂに設けられた反射部４７によってＬＥＤパッケージ４６から照射された光が反射部４９に導かれるようになっている。
【００４９】
本実施の反射部４７〜４９は、遮蔽部材４２およびカバー部材４３の対向面４２ａ、４３ｂの形状に沿った反射面形状に成型された母材の表面にアルミ箔等の反射シートを接着させるようにして構成されている。
【００５０】
なお、反射部４７〜４９は、反射面に成型された母材の表面にアルミを蒸着することにより構成してもよいし、反射面に反射材を練り込んだ塗装を施したものから構成したり、反射材料によるメッキを施すことにより構成してもよい。
【００５１】
また、光拡散シート８１は、光を拡散する作用があるものであれば、どのようなタイプでも構わない。例えば、第１の空間５７側のシート面に拡散作用を有するように構成したものや、第２の空間８２側のシート面に拡散作用を有するように構成したもの、あるいは、光拡散シート８１の内部で拡散作用を有する構成にしたものであってもよい。
【００５２】
本実施の形態では、遮蔽部材４２およびカバー部材４３のそれぞれに設けられたＬＥＤ基板４５の位置決め用の溝５０、５１をコンタクトガラス７面に対して直角の方向になるように配置しているので、ＬＥＤ基板４５を垂直に保持することができる。このため、発光面をＬＥＤ基板４５と平行に配置されたＬＥＤパッケージ４６から出射した光の中心光軸を水平方向に指向させることができる。
【００５３】
このように発光面をＬＥＤパッケージ４６から出射した光の中心光軸を水平方向に指向させることができるため、ＬＥＤパッケージ４６から出射された照明光は、ある角度で広がりながら略水平方向に進行する。
【００５４】
遮蔽部材４２の反射部４８によって反射させられたＬＥＤパッケージ４６の照明光は、光拡散シート８１を通してさらにある角度で広がりながら図３において原稿Ｐの照射領域Ｗ１に対して左側から照射されるようになっており、光拡散シート８１を通してある角度で広がった後、カバー部材４３の反射部４７で反射させられた照明光は、遮蔽部材４２の反射部４９でさらに反射し、若しくは、直接ＬＥＤパッケージ４６から反射部４９に到達して反射する光も照射領域Ｗ１に対して図３の右側から照射される。
【００５５】
なお、照射領域Ｗ１は、コンタクトガラス７上のある一定範囲である。また、図３において、照射領域Ｗ１に対して右側を走査方向の前側とし、照射領域Ｗ１に対して左側を走査方向の後側とすると、本実施の形態では、上述した反射部４７〜４９からの照明作用により、照射領域Ｗ１に対して副走査方向の前後方向から光が略均等に照射されることになり、立体物の原稿や切り貼りされた原稿等も影が出ないようにすることができる。
【００５６】
したがって、カバー部材４３および遮蔽部材４２の形状は、ＬＥＤパッケージ４６から照射される光を照射領域Ｗ１に対して副走査方向に一定の照度分布で導くように設計された折り曲げ形状となっている。
【００５７】
すなわち、本実施の一体型走査光学ユニット４０は、筐体４１に設けられ、発光するＬＥＤユニット４４と、ＬＥＤパッケージ４６からの光を原稿Ｐの照射領域Ｗ１に照射する反射部４７とある一定の角度で広がらせる光拡散シート８１を有するカバー部材４３と、ＬＥＤパッケージ４６からの光を原稿Ｐの照射領域Ｗ１に照射する反射部４８、４９を有する遮蔽部材４２とからなる原稿照明装置としての原稿照明部５６を備えたものとなる。
【００５８】
また、遮蔽部材４２は、筐体４１に着脱自在に設けられており、図３に示すように、筐体４１内を、ＬＥＤユニット４４が設けられた第１の空間５７および第２の空間８２と、第１の空間５７の下方に位置し、画像読取部５４が設けられた第３の空間５８とに隔離するようになっている。
【００５９】
すなわち、遮蔽部材４２は、筐体４１内に画像読取部５４が収納された空間としての第３の空間５８が画成されるように原稿照明部５６と画像読取部５４とを隔離している。
【００６０】
この遮蔽部材４２の対向面４２ａは、画像読取部５４の底面を構成するものであり、遮蔽部材４２は、第３の空間５８に原稿Ｐからの反射光以外の照明光が進入しないように第１の空間５７および第２の空間８２から遮断する（隔離する）機能を有しており、原稿照明部５６の下方を覆うとともに、筐体４１との間で隙間が生じないように筐体４１に取付けられている。
【００６１】
本実施の形態では、反射部４７を第１の空間５７および第２の空間８２に対向するカバー部材４３の対向面４３ｂに設けるとともに、反射部４８、４９を第１の空間５７および第２の空間８２に対向する遮蔽部材４２の対向面４２ａに設けることで、第３の空間５８と隔離された第１の空間５７および第２の空間８２を画成することができる。
【００６２】
また、遮蔽部材４２には主走査方向に延在するスリット５９が形成されており、このスリット５９は、ＬＥＤユニット４４から遠く離れて位置している（図３中、右方）。
また、スリット５９は、反射部４８および反射部４９の間に位置するようにして設けられており、原稿Ｐからの反射光（原稿像の光）を第１の空間５７から第２の空間８２を通して第３の空間５８に導くようになっている。
また、スリット５９は、上下方向に開口しており、開口の高さはＬＥＤパッケージ４６の中心よりも高い位置、すなわち、原稿Ｐに近い位置に設けられている。このため、ＬＥＤパッケージ４６からの照射光を第１の空間５７から第２の空間８２を通して第３の空間５８に進入し難くして、原稿Ｐからの反射光のみを第３の空間５８に導くことができる。
【００６３】
なお、反射部４８、４９を除いたスリット５９の近傍の遮蔽部材４２の表面やスリット５９内の垂直方向の内周側面は、反射率の低い表面処理または、黒色に構成されており、反射部４８、４９を除いた遮蔽部材４２の対向面４２ａで光を反射し難くしている。
【００６４】
一方、第３の空間５８に位置する筐体４１には反射部材としての反射ミラー６０ａ〜６０ｅ、結像レンズ６１および撮像素子としてのＣＣＤ（ＣｈａｒｇｅＣｏｕｐｌｅｄ Ｄｅｖｉｃｅ）６３が設けられており、これら反射ミラー６０ａ〜６０ｅ、結像レンズ６１およびＣＣＤ６３は、読取手段としての画像読取部５４を構成している。
【００６５】
反射ミラー６０ａ〜６０ｅは、ＬＥＤユニット４４から反射部４７〜４９を介して原稿Ｐの照射領域Ｗ１が照射されたときに、照射領域Ｗ１における原稿Ｐのライン上（主走査方向）の反射光Ｌ、すなわち、読取光軸が遮蔽部材４２のスリット５９を介して第３の空間５８に導かれると、反射ミラー６０ａ、６０ｂ、６０ｃ、６０ｄ、６０ｅの順に反射するようになっている。したがって、反射ミラー６０ａ〜６０ｅは、反射光Ｌを結像レンズ６１に導くように筐体４１の所定箇所に取付けられている。なお、反射ミラー６０ａ、６０ｂ、６０ｃ、６０ｄ、６０ｅは、筐体４１に直接取付けられており、特に、反射ミラー６０ｃは、筐体４１の保持部４１ｄに固定されている。
【００６６】
この結像レンズ６１は、筐体４１の底部に取付けられており、反射ミラー６０ｅによって反射された光を結像させるようになっている。ＣＣＤ６３は、結像レンズ６１の結像位置に配置されるように筐体４１の副走査方向一側面に取付けられており、原稿Ｐの画像を読み取るようになっている。本実施の形態のＣＣＤ６３は、Ｒ（赤）、Ｇ（緑）、Ｂ（青）の各色毎に設けられており、カラー画像の読取りを行うことができる。
【００６７】
このＣＣＤ６３は、ＳＢＵ（スキャナボードユニット）６４上に配置されており、このＳＢＵ６４は、筐体４１の副走査方向一側面に取付けられている。このＳＢＵ６４にはＣＣＤ６３の他にＩＣチップやチップコンデンサ等の電子部品が実装されており、ＣＣＤ６３によって読み取られた原稿Ｐの画像を処理し、露光装置３１に送信するようになっている。
【００６８】
また、本実施の形態では、反射ミラー６０ａが保持機構によって筐体４１に保持されるようになっている。この保持機構は、図５〜図８に示すように、筐体４１の主走査方向の両側に位置する側板４１ａ、４１ｂの副走査方向一端部、すわなち、側板４１ａ、４１ｂを接続するように主走査方向に延在する側板４１ｅ側に形成された切欠き部９１と、切欠き部９１の近傍の筐体４１の側板４１ａ、４１ｂに形成された開口穴９２とを有する筐体４１と、筐体４１に取付けられ、反射ミラー６０ａを筐体４１に保持する保持部材としての一対のクリップ９３とを含んで構成されている。
【００６９】
図９に示すように、クリップ９３は、曲折部としての屈曲部９４と、嵌合穴９５ａを有する嵌合部９５と、屈曲部９４および嵌合部９５を連結する連接部９６とが一体化されて構成されている。
【００７０】
図８、図１０、図１１に示すように、屈曲部９４は、切欠き部９１に挿通されるようになっており、副走査方向に屈曲するとともに屈曲箇所９４ｂが反射ミラー６０ａの副走査方向他側面Ｂ１に当接するようになっている。
なお、図８において、点線は、側板４１ｅの内周面であり、反射ミラー６０ａは、その下端が側板４１ｅの内周面に当接した状態でクリップ９３によって筐体４１に保持されている。
【００７１】
また、図１１に示すように、切欠き部９１を構成する筐体４１の側板４１ａ、４１ｂの肉厚Ｈ１に対して連接部９６から屈曲部９４の屈曲箇所９４ｂの距離Ｈ２は小さく（短く）なっている。このため、切欠き部９１を小さくして筐体４１の剛性が低下するのを防止することができる。
【００７２】
また、屈曲部９４には係合爪９４ａが形成されており、図８に示すように、係合爪９４ａは、屈曲部９４の上端から主走査方向と略直交する反射ミラー６０ａの高さ方向に突出して設けられ、切欠き部９１の内周縁の内側に位置する筐体４１の側板４１ａ、４１ｂの内面に係合するようになっている。
【００７３】
また、図８、図１１に示すように、嵌合部９５の嵌合穴９５ａは、開口穴９２に設けられた突起９２ａに嵌合するようになっており、嵌合部９５は、屈曲部９４と共に反射ミラー６０ａを挟み込むようになっている。
【００７４】
このとき、屈曲部９４が嵌合部９５側に撓むことにより、反射ミラー６０ａの主走査方向両端部の副走査方向一側面を切欠き部９１の当接面９１ａに当接させるようになっている。
【００７５】
すなわち、本実施の形態の切欠き部９１は、反射ミラー６０ａの主走査方向両端部の副走査方向一側面Ａ１が当接する当接面９１ａを有するとともに、反射ミラー６０ａの主走査方向両端部の副走査方向他側面Ｂ１に対向する部位が開放されており（以下、この部分を開放部９１ｂという）、当接面９１ａは、反射ミラー６０ａの副走査方向一側面Ａ１と平行に延在している。
【００７６】
また、連接部９６は、筐体４１の側板４１ａ、４１ｂに対向しており、側板４１ａ、４１ｂと平行に延在している。また連接部９６には穴部９６ａが形成されており、この穴部９６ａは、図８、図１１に示すように、筐体４１の側板４１ａ、４１ｂに設けられた突起４１ｃに嵌合するようになっている。
【００７７】
次に、反射ミラー６０ａを筐体４１に取付ける方法を説明する。
反射ミラー６０ａを側板４１ａ側の切欠き部９１に挿通した後、図１２（ａ）に示すように、屈曲部９４を切欠き部９１に挿通する。このとき、屈曲部９４の屈曲箇所９４ｂを反射ミラー６０ａの副走査方向他側面Ｂ１に押し付けながら、図１２（ｂ）に示すように、係合突起９４を切欠き部９１の内周縁の内側に位置する筐体４１の側板４１ａの内面に係合させる。このため、反射ミラー６０ａの副走査方向一側面Ａ１が切欠き部９１の当接面９１ａに押し付けられる。
【００７８】
次いで、図１２（ｃ）に示すように、嵌合部９５を開口穴９２に挿通して嵌合穴９５ａを開口穴９２の突起９２ａに嵌合させた後、連接部９６の穴部９６ａに側板４１ａの突起４１ｃを嵌合させる。また、側板４１ｂ側も同様の手順でクリップ９３を側板４１ｂに取付ける。
【００７９】
このように本実施の形態では、保持機構を、筐体４１の主走査方向の両側に位置する側板４１ａ、４１ｂの副走査方向一端部にそれぞれに形成され、反射ミラー６０ａの副走査方向一側面Ａ１が当接する当接面９１ａを有するとともに反射ミラー６０ａの副走査方向他側面Ｂ１に開放部９１ｂを有する切欠き部９１と、切欠き部９１の近傍の側板４１ａ、４１ｂに形成された開口穴９２とを有する筐体４１と、筐体４１に取付けられ、反射ミラー６０ａを筐体４１に保持するクリップ９３とを含んで構成し、クリップ９３を、切欠き部９１に挿通され、副走査方向に曲折されるとともに屈曲箇所９４ｂにおいて反射ミラー６０ａの副走査方向他側面Ｂ１に当接する屈曲部９４と、屈曲部９４の上端から主走査方向と略直交する反射ミラー６０ａの高さ方向に突出して設けられ、切欠き部９１の内周縁の内側に位置する側板４１ａ、４１ｂの内面に係合する係合爪９４ａと、開口穴９２に嵌合され、開口穴９２に設けられた突起９２ａに嵌合する嵌合穴９５ａを有する嵌合部９５と、屈曲部９４と嵌合部９５を連接し、側板４１ａ、４１ｂに対向する連接部９６とを備えたものから構成した。
【００８０】
このため、クリップ９３の屈曲部９４が筐体４１の切欠き部９１に挿通されたときに、係合爪９４ａが切欠き部９１の内周縁の内側に位置する側板４１ａ、４１ｂの内面に係合した状態で、屈曲部９４の屈曲箇所９４ｂを反射ミラー６０ａの副走査方向他側面Ｂ１に当接させることができるとともに、クリップ９３の嵌合部９５に形成された嵌合穴９５ａを筐体４１の開口穴９２に形成された突起９２ａに嵌合するようにして開口穴９２に嵌合させることができる。
【００８１】
このため、嵌合部９５および屈曲部９４によって反射ミラー６０ａを挟持するようにして筐体４１に取付けられたときに、屈曲部９４を副走査方向において嵌合部９５側に撓ませて屈曲部９４の屈曲箇所９４ｂにより反射ミラー６０ａを切欠き部９１の当接面９１ａに押圧させて、反射ミラー６０ａを筐体４１に保持させることができる。
【００８２】
また、係合爪９４ａを切欠き部９１の内周縁の内側に位置する側板４１ａ、４１ｂの内面に係合させるとともに、嵌合部９５を開口穴９２に嵌合させたときにクリップ９３の嵌合部９５に形成された嵌合穴９５ａを開口穴９２に形成された突起９２ａに嵌合させることができるため、クリップ９３が切欠き部９１および開口穴９２から抜け出てしまうのを防止することができる。
【００８３】
この結果、筐体４１の側板４１ａ、４１ｂに形成された切欠き部９１に反射ミラー６０ａを挿通した場合でも、反射ミラー６０ａを筐体４１に確実に保持することができる。このため、クリップ９３および反射ミラー６０ａを取り囲むようにして反射ミラー６０ａを挿通するための従来のような開口穴を不要にでき、筐体４１の副走査方向の長さを短くして筐体４１を小型化することができる。この結果、画像読取装置４を小型化することができ、小型化された画像読取装置４を有するカラー複写機１を得ることができる。
【００８４】
また、本実施の形態では、保持機構が、クリップ９３の連接部９６に形成された穴部９６ａと、筐体４１の側板４１ａ、４１ｂに設けられ、穴部９６ａに嵌合する突起４１ｃを有するので、突起４１ｃおよび穴部９６ａの位置を基準にして、切欠き部９１の内周縁の内側における係合爪９４ａの位置を決定することができる。この結果、係合爪９４ａの位置決めを容易に行うことができる。
【００８５】
なお、本実施の形態では、クリップ９３に曲折部として屈曲部９４を設けているが、屈曲部９４に代えて湾曲部を設け、湾曲部の湾曲箇所を反射ミラー６０ａの副走査方向他側面Ｂ１に当接させるようにしてもよい。
【００８６】
（第２の実施の形態）
図１３〜図１８は、本発明に係る画像読取装置および画像読取装置を備えた画像形成装置の第２の実施の形態を示す図であり、第１の実施の形態と同一の構成には同一番号を付して説明を省略する。
【００８７】
図１３に示すように、反射ミラー６０ａ、６０ｃは、筐体４１に対してフリーの状態になっており、後述するクリップ１０２によって側板４１ａ、４１ｂに保持されるものである。
【００８８】
図１４において、筐体４１の側板４１ａ、４１ｂには開口穴９２および切欠き部９１の下方に開口穴１０１が形成されており、この開口穴１０１には反射ミラー６０ｃが挿通されるようになっており、この反射ミラー６０ｃは、反射ミラー６０ａと共に保持部材としての一対のクリップ１０２によって筐体４１の側板４１ａ、４１ｂに保持されるようになっている。
【００８９】
図１６に示すように、クリップ１０２は、曲折部としての屈曲部１０３および屈曲部１０４と、嵌合穴１０５ａを有する嵌合部１０５と、屈曲部１０３および屈曲部１０４と嵌合部１０５とを連結する連接部１０６とが一体化されて構成されている。また、連接部１０６は、嵌合部１０５から二股状に分岐されており、嵌合部１０５に一対の屈曲部１０３および屈曲部１０４が連接されている。
【００９０】
図１５に示すように、屈曲部１０３は、切欠き部９１に挿通されるようになっており、副走査方向に屈曲するとともに屈曲箇所１０３ｂが反射ミラー６０ａの副走査方向他側面Ｂ１に当接するようになっている。
【００９１】
また、屈曲部１０４は、開口穴１０１に挿通されるようになっており、図１８に示すように、副走査方向に屈曲するとともに屈曲箇所１０４ａが反射ミラー６０ｃの副走査方向他側面Ｂ１に当接するようになっている。
【００９２】
また、図１８に示すように、切欠き部９１を構成する筐体４１の肉厚Ｈ１に対して連接部１０６から屈曲部１０３の屈曲箇所１０３ｂの距離Ｈ２は短くなっている。このため、切欠き部９１を小さくして筐体４１の剛性が低下するのを防止することができる。
【００９３】
また、屈曲部１０３には係合爪１０３ａが形成されており、図１５に示すように、係合爪１０３ａは、屈曲部１０３の上端から主走査方向と略直交する反射ミラー６０ａの高さ方向に突出して設けられ、切欠き部９１の内周縁の内側に位置する筐体４１の側板４１ａ、４１ｂの内面に係合するようになっている。
【００９４】
また、図１５、図１８に示すように、嵌合部１０５の嵌合穴１０５ａは、開口穴９２に設けられた突起９２ａに嵌合するようになっており、嵌合部１０５は、屈曲部１０３および屈曲部１０４と共に反射ミラー６０ａおよび反射ミラー６０ｃを挟み込むようになっている。
【００９５】
このとき、屈曲部１０３および屈曲部１０４が嵌合部１０５側に撓むことにより、反射ミラー６０ａおよび反射ミラー６０ｃの副走査方向一側面Ａ１を切欠き部９１の当接面９１ａおよび開口穴１０１の当接面１０１ａに当接させるようになっている。すなわち、本実施の形態の切欠き部９１および開口穴１０１は、反射ミラー６０ａおよび反射ミラー６０ｃの副走査方向一側面Ａ１が当接する当接面９１ａ、１０１ａを有しており、この当接面９１ａ、１０１ａは、反射ミラー６０ａおよび反射ミラー６０ｃの副走査方向一側面Ａ１と平行に延在している。
【００９６】
また、連接部１０６は、筐体４１の側板４１ａ、４１ｂに対向しており、側板４１ａ、４１ｂと平行に延在している。また連接部１０６には穴部１０６ａが形成されており、この穴部１０６ａは、図１５、図１８に示すように、筐体４１の側板４１ａ、４１ｂに設けられた突起４１ｃに嵌合するようになっている。
【００９７】
次に、反射ミラー６０ａおよび反射ミラー６０ｃを筐体４１に取付ける方法を説明する。
【００９８】
反射ミラー６０ａを側板４１ａ側の切欠き部９１に挿通するとともに、反射ミラー６０ｃを開口穴１０１に挿通した後、屈曲部１０３および屈曲部１０４を切欠き部９１および開口穴１０１に挿通する。このとき、屈曲部１０３の屈曲箇所１０３ｂを反射ミラー６０ａの副走査方向他側面Ｂ１に押し付けながら、係合爪１０３ａを切欠き部９１の内周縁の内側に位置する筐体４１の側板４１ａの内面に係合させる。このため、反射ミラー６０ａの副走査方向一側面Ａ１が切欠き部９１の当接面９１ａに押し付けられるとともに、反射ミラー６０ｃの副走査方向一側面Ａ１が開口穴１０１の当接面１０１ａに押し付けられる。
【００９９】
次いで、嵌合部１０５を開口穴９２に挿通して嵌合穴１０５ａを開口穴９２の突起９２ａに嵌合させた後、連接部１０６の穴部１０６ａに側板４１ａの突起４１ｃを嵌合させる。また、側板４１ｂ側も同様の手順でクリップ１０２を側板４１ｂに取付ける。
【０１００】
このように本実施の形態では、嵌合部１０５から連接部１０６を二股状に分岐して連接部１０６に屈曲部１０３および屈曲部１０４を連接するとともに、屈曲部１０３に係合爪１０３ａを形成し、屈曲部１０３および屈曲部１０４を切欠き部９１および開口穴１０１に嵌合することにより、屈曲部１０３の屈曲箇所１０３ｂによって反射ミラー６０ａの副走査方向他側面Ｂ１を押圧するとともに、屈曲部１０４の屈曲箇所１０４ａによって反射ミラー６０ｃの副走査方向他側面Ｂ１を押圧するようにしたので、一対のクリップ１０２によって複数の反射ミラー６０ａおよび反射ミラー６０ｃを筐体４１に保持することができ、保持機構の構成を簡素化して画像読取装置４の製造コストを低減することができる。
【０１０１】
なお、本実施の形態では、クリップ１０２に曲折部として屈曲部１０３および屈曲部１０４を設けているが、屈曲部１０３および屈曲部１０４に代えて湾曲部を設け、湾曲箇所を反射ミラー６０ａおよび反射ミラー６０ｃの副走査方向他側面Ｂ１に当接させるようにしてもよい。
【０１０２】
また、本実施の形態では、連接部１０６を二股状に分岐して一対の反射ミラー６０ａおよび反射ミラー６０ｃを筐体４１に保持するようにしているが、連接部１０６を三叉状またはそれ以上に分岐して３つ以上の反射ミラーを筐体４１に取付けるようにしてもよい。
【産業上の利用可能性】
【０１０３】
以上のように、本発明に係る画像読取装置および画像読取装置を備えた画像形成装置は、筐体の副走査方向の長さを短くして反射部材を筐体に取付けることができ、画像読取装置の小型化を図ることができるという効果を有し、複写機、ファクシミリ装置、イメージスキャナ等に使用される画像読取装置およびこの画像読取装置を備えた画像形成装置等として有用である。
【符号の説明】
【０１０４】
１  カラー複写機（画像形成装置）
４  画像読取装置
５  画像形成部（画像形成手段）
４１  筐体（保持機構）
４１ａ、４１ｂ  側板
４１ｃ  突起
４４  ＬＥＤユニット（照射手段）
４７〜４９  反射部（照射手段）
６０ａ〜６０ｅ  反射ミラー（反射部材）
６１  結像レンズ
６３  ＣＣＤ（撮像素子）
９１  切欠き部（保持機構）
９１ａ  当接面
９２、１０１  開口穴（保持機構）
９２ａ  突起
９３、１０２  クリップ（保持部材、保持機構）
９４、１０３、１０４  屈曲部（曲折部）
９４ａ、１０３ａ  係合爪
９４ｂ、１０３ｂ、１０４ａ  屈曲箇所
９５、１０５  嵌合部
９５ａ、１０５ａ  嵌合穴
９６、１０６  連接部
９６ａ、１０６ａ  穴部
１０１ａ  当接面
Ｐ  原稿
Ｗ１  照射領域
【先行技術文献】
【特許文献】
【０１０５】
【特許文献１】特開２００７−１３９８７３号公報
【図１】
2010219772.tif 000003
【図２】
2010219772.tif 000004
【図３】
2010219772.tif 000005
【図４】
2010219772.tif 000006
【図５】
2010219772.tif 000007
【図６】
2010219772.tif 000008
【図７】
2010219772.tif 000009
【図８】
2010219772.tif 000010
【図９】
2010219772.tif 000011
【図１０】
2010219772.tif 000012
【図１１】
2010219772.tif 000013
【図１２】
2010219772.tif 000014
【図１３】
2010219772.tif 000015
【図１４】
2010219772.tif 000016
【図１５】
2010219772.tif 000017
【図１６】
2010219772.tif 000018
【図１７】
2010219772.tif 000019
【図１８】
2010219772.tif 000020
【図１９】
2010219772.tif 000021
【図２０】
2010219772.tif 000022